(57)【要約】【課題】特に蛇口の収納フレームに収納孔が形成されることにより、清潔用品を収納孔に収容できるようにした収納機能を有する蛇口を提供する。【解決手段】下端と、上端と、該下端に穿設される入水口１１と、該上端に穿設される送水口１２と、該入水口１１と送水口１２とを連通するために内部に形成される貫通孔１３とを備えるベース１０と、前記ベース１０の上端に設けられ、上環面部と、内側壁部と、外側壁部と、該上環面部に凹設される水路２１と、該水路２１と前記送水口１２とを連通するために該外側壁部に形成される連通孔２２と、該外側壁部に延設され、該水路２１と連通する出水口２３１を備える出水部２３と、中央に穿設される収納孔２４とを備える収納フレーム２０と、を有する。【選択図】図１
0003163462.tif 000002
【実用新案登録請求の範囲】
【請求項１】
下端と、上端と、該下端に穿設される入水口と、該上端に穿設される送水口と、該入水口と送水口とを連通するために内部に形成される貫通孔とを備えるベースと、
前記ベースの上端に設けられ、上環面部と、内側壁部と、外側壁部と、該上環面部に凹設される水路と、該水路と前記送水口とを連通するために該外側壁部に形成される連通孔と、該外側壁部に延設され、該水路と連通する出水口を備える出水部と、中央に穿設される収納孔とを備える収納フレームと、を有することを特徴とする収納機能を有する蛇口。
【請求項２】
前記収納フレームが環状を呈し、
前記収納孔が円形を呈することを特徴とする請求項１に記載の収納機能を有する蛇口。
【請求項３】
前記外側壁部及び内側壁部における、連通孔と対応する上環面部に強化部が設けられることを特徴とする請求項1又は２に記載の収納機能を有する蛇口。
【請求項４】
前記出水部がＶ字形の断面を呈することを特徴とする請求項１乃至３の何れか１項に記載の収納機能を有する蛇口。
【請求項５】
前記出水部がＵ字形の断面を呈することを特徴とする請求項１乃至３の何れか１項に記載の収納機能を有する蛇口。
【請求項６】
前記出水部が前記外側壁部における連通孔と反対する側に延設されることを特徴とする請求項１乃至５の何れか１項に記載の収納機能を有する蛇口。 
【考案の詳細な説明】
【技術分野】
【０００１】
本考案は、特に収納機能を有する蛇口に関するものである。
【背景技術】
【０００２】
一般に蛇口は、洗面所における洗面台に設置され、末端の吐水口から水道水を提供するものであり、人が顔や手を洗い、歯を磨くために、洗面台の蛇口付近には、例えば洗顔料やコップ、歯磨き粉、歯ブラシなどの清潔用品が置かれている。
【考案の概要】
【考案が解決しようとする課題】
【０００３】
しかしながら、従来の蛇口は当然ながら、洗顔料などの清潔用品を収納することができず、吐水機能しか備えていないので、機能性に優れず、さらに、従来の蛇口や洗面台には、コップや洗顔料、歯磨き粉、歯ブラシなどを収納する空間が設置されていないことから、そのまま乱雑に洗面台に放置されることが多いので、それらを不注意により洗面台から落下させて床を汚してしまうことがよくあった。
【課題を解決するための手段】
【０００４】
本考案に係る収納機能を有する蛇口は、ベースと、収納フレームとを有し、その内、該ベースは、下端と、上端と、該下端に穿設される入水口と、該上端に穿設される送水口と、該入水口と送水口とを連通するために内部に形成される貫通孔とを備え、該収納フレームは、該ベースの上端に設けられ、上環面部と、内側壁部と、外側壁部と、該上環面部に凹設される水路と、該水路と送水口とを連通するために該外側壁部に形成される連通孔と、該外側壁部に延設され、該水路と連通する出水口を備える出水部と、中央に穿設される収納孔とを備えるものであり、この構成によれば、該収納孔にコップや歯磨き粉、歯ブラシ、洗顔料などの清潔用品を収容することができる。
【０００５】
尚、前記収納フレームは環状を呈すると共に、前記収納孔は、円形のコップを収容するために円形を呈することが好ましい。
【０００６】
また、一定の重量を有する清潔用品を収納する前記収納フレームを強度を高めるために、前記連通孔に対応する外側壁部及び内側壁部における上面環部に更に強化部を設けることが好ましい。
【０００７】
また、前記収納フレームにおける出水部は、スムーズに吐水させるために、Ｖ字形の断面を呈することが好ましい。
【０００８】
また、前記出水部は、前記収納フレームにおける出水部の流路の幅を増大させるためにＵ字形の断面を呈するものであっても構わない。
【０００９】
また、前記外側壁部における連通孔と反対する側に出水部を延設することにより、吐水効果を向上させることができる。
【考案の効果】
【００１０】
本考案に係る収納機能を有する蛇口は上記の課題を解決するものであり、直接に蛇口の収納孔に清潔用品を収容できるようにすることにより、例えば、顔や手を洗う時、または、歯を磨く時に、利便性を提供することができるのみならず、衛生面も配慮されているので、洗面台を常時清潔にすることができる。
【図面の簡単な説明】
【００１１】
【図１】本考案に係る収納機能を有する蛇口の斜視図である。
【図２】本考案に係る収納機能を有する蛇口の底面斜視図である。
【図３】本考案に係る収納機能を有する蛇口に清潔用品を収納した状態を示す斜視図である。
【図４】本考案に係る収納機能を有する蛇口における他の実施例を示す斜視図である。
【図５】本考案に係る収納機能を有する蛇口における他の実施例の底面斜視図である。
【図６】本考案に係る収納機能を有する蛇口の他の実施例において清潔用品を収納した状態を示す斜視図である。
【考案を実施するための形態】
【００１２】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１３】
図１、図２、図４及び図５に示すように、本考案に係る収納機能を有する蛇口は、ベース１０と、収納フレーム２０とを有し、その内、該ベース１０は、中空である直方体を呈し、下端と、上端と、該下端の底面に穿設される入水口１１と、該上端側面に穿設される送水口１２と、該入水口１１と送水口１２とを連通するために、内部において下端から上端まで穿通される貫通孔１３とを備えるものである。
【００１４】
前記収納フレーム２０は、環状を呈し、前記ベース１０の上端に設けられ、上環面部と、内側壁部と、外側壁部と、該上環面部に凹設されると共に、該内側壁部と外側壁部との間に形成される環状の水路２１と、該水路２１と前記送水口１２とを連通させるために、該外側壁部における、送水口１２と対応する箇所に形成される連通孔２２と、該外側壁部における連通孔２２と反対する側に延設され、該水路２１と連通する出水口２３１を備える出水部２３と、中央に穿設される収納孔２４と、該連通孔２２と対応する該外側壁部及び該内側壁部における上環面部に設置されると共に、該水路２１の一部をカバーする強化部２５とを備えるものである。尚、前記収納孔２４は、円形を呈してもよいが、四角形、半円形などの形状を呈しても構わない。また、図４乃至図６に示すように、前記出水部２３における出水口２３１は、断面Ｖ字形を呈してもよいが、断面Ｕ字形でもよい。
【００１５】
図３及び図６に示すように、本考案に係る収納機能を有する蛇口においては、収納フレーム２０に、例えば、洗顔料、歯磨き粉、歯ブラシなどを入れたコップを収納孔２４に嵌め込んで収容することができることから、使用上の利便性を高めることができるので、洗面台や床を常に清潔に保つことができると共に、該コップに収容された清潔用品が落下し、床を汚すおそれもない。
【産業上の利用可能性】
【００１６】
本考案は上記の構成を有することから、直接に蛇口の収納孔に清潔用品を収容できるようにすることにより、例えば、顔や手を洗う時、または、歯を磨く時に、利便性を提供することができるのみならず、衛生面も配慮されているので、洗面台を常時清潔にすることができる。
【符号の説明】
【００１７】
１０      ベース
１１      入水口
１２      送水口
１３      貫通孔
２０      収納フレーム
２１      水路
２２      連通孔
２３      出水部
２３１    出水口
２４      収納孔
２５      強化部
【図１】
0003163462.tif 000003
【図２】
0003163462.tif 000004
【図３】
0003163462.tif 000005
【図４】
0003163462.tif 000006
【図５】
0003163462.tif 000007
【図６】
0003163462.tif 000008